(57)【特許請求の範囲】
【請求項１】
歯列を矯正するために、歯牙表面に固着可能な面状のベースと、前記ベースの片面に設けられたブラケット本体と、前記ブラケット本体に形成された溝状のアーチワイヤスロットと、前記ブラケット本体および前記ベースのうちの少なくとも一方に形成され、かつ、前記アーチワイヤスロットに対して交差する方向に沿って連続する案内部と、前記案内部に案内される略帯状のクリップとを有し、
前記アーチワイヤスロットにおける反ベース側の少なくとも一部を覆うように、前記クリップが略Ｕ字状に湾曲され、かつ、前記クリップの長手方向一端側に設けられた係止部が、前記ブラケット本体に支持された覆蓋部の下側に潜り込むように係合可能である歯列矯正ブラケットであって、
前記係止部に設けられた係止爪部と、前記覆蓋部に設けられた覆蓋爪部とを有し、前記係止爪部および前記覆蓋爪部が互いに噛み合う位置に擦れ違うことにより、前記クリップの長手方向一端側が前記アーチワイヤスロットを閉塞可能であることを特徴とする歯列矯正ブラケット。
【請求項２】
前記クリップの長手方向一端側が前記アーチワイヤスロットに対して圧下することを特徴とする請求項１に記載した歯列矯正ブラケット。
【請求項３】
前記係止爪部および前記覆蓋爪部が相対的に係合可能な位置に配置されることを特徴とする請求項１に記載した歯列矯正ブラケット。
【請求項４】
前記係止爪部および前記覆蓋爪部が互いに弾性的に乗り越えることにより、前記係止爪部および前記覆蓋爪部が互いに係合した状態を維持可能であることを特徴とする請求項１に記載した歯列矯正ブラケット。
【請求項５】
前記係止爪部および前記覆蓋爪部が互いに弾性的に乗り越えることにより、前記係止爪部および前記覆蓋爪部が互いに係合した状態で、前記覆蓋爪部が当該覆蓋部の基部を支点として一定角度まで揺動可能であることを特徴とする請求項１に記載した歯列矯正ブラケット。
【請求項６】
前記覆蓋部が前記ブラケット本体に一体成形されているとともに、前記クリップの長手方向他端側に位置決め部が設けられていることを特徴とする請求項１に記載した歯列矯正ブラケット。
【請求項７】
前記覆蓋部が前記クリップの長手方向他端側に一体成形されていることを特徴とする請求項１に記載した歯列矯正ブラケット。
【請求項８】
前記覆蓋爪部が前記係止爪部から離反するように、前記覆蓋部が当該覆蓋部の基部を支点として一定角度以上揺動することにより、前記係止部および前記覆蓋部の相互係合を解除可能であることを特徴とする請求項４および請求項５のうちの一方に記載した歯列矯正ブラケット。
【請求項９】
前記覆蓋部が揺動するような外力を受け入れるレバーが前記覆蓋部に設けられていることを特徴とする請求項８に記載した歯列矯正ブラケット。
【請求項１０】
前記レバーに所定の器具を係止可能な凹部が設けられていることを特徴とする請求項９に記載した歯列矯正ブラケット。
【請求項１１】
前記係止爪部および前記覆蓋爪部のうちの少なくとも一方が他方に向かう斜面を備える断面先細り形状とされ、かつ、歯軸方向に対して平行な断面略鋸刃状に一段以上配列されていることを特徴とする請求項４および請求項５のうちの一方に記載した歯列矯正ブラケット。
【請求項１２】
前記ベースおよび前記ブラケット本体が光透過性を有していることを特徴とする請求項１に記載した歯列矯正ブラケット。
【請求項１３】
前記ベースおよび前記ブラケット本体がフィラー入り樹脂とされ、前記フィラーが前記ベースおよび前記ブラケット本体の耐久性を向上させるとともに、白色半透明の色調を引き出すことを特徴とする請求項12に記載した歯列矯正ブラケット。
【請求項１４】
前記クリップが光透過性を有していることを特徴とする請求項１に記載した歯列矯正ブラケット。
【請求項１５】
前記クリップが樹脂製であることを特徴とする請求項１に記載した歯列矯正ブラケット。
【請求項１６】
前記クリップがフィラー入り樹脂とされ、前記フィラーが前記クリップの耐久性を向上させるとともに、白色半透明の色調を引き出すことを特徴とする請求項15に記載した歯列矯正ブラケット。
【請求項１７】
前記クリップの所定位置から幅方向に沿って突出する幅広部を有し、前記幅広部が、前記アーチワイヤスロットの反ベース側から前記アーチワイヤスロットに対して圧下可能であることを特徴とする請求項２ないし請求項５のいずれかに記載した歯列矯正ブラケット。
【請求項１８】
前記係止部および前記覆蓋部が相互係合した状態で前記クリップにおける所定位置に所定の器具を係止可能な引出孔が設けられていることを特徴とする請求項１に記載した歯列矯正ブラケット。
【請求項１９】
前記クリップの少なくとも前記アーチワイヤスロットに対して圧下する個所における幅方向に沿った断面形状が略円弧状とされ、前記断面形状が平坦になるように前記クリップが弾性変形しながら前記アーチワイヤスロットに対して圧下することを特徴とする請求項１に記載した歯列矯正ブラケット。
【発明の詳細な説明】
【０００１】
【発明の属する技術分野】
本発明は歯列矯正ブラケットに係り、特に不整歯列や捻転歯を矯正するためにアーチワイヤスロットに収容されるアーチワイヤに対する積極的な圧下力を確実、かつ、長期間維持できる歯列矯正ブラケットに関する。
【０００２】
【従来の技術】
図14（Ａ）に歯列を矯正するための歯列矯正ブラケット100を示す。歯列矯正ブラケット100は、歯牙表面に固着可能な面状のベース101と、ベース101の片面に設けられたブラケット本体102と、ブラケット本体102に形成されたアーチワイヤスロット103と、ブラケット本体102におけるベース101側に形成され、かつ、アーチワイヤスロット103に対して交差する方向に沿って貫通する案内部104と、案内部104に案内される略帯状のクリップ105とを含んで構成されている（実施例１）。
【０００３】
この歯列矯正ブラケット100は、アーチワイヤスロット103における反ベース102側（図14（Ａ）中、上方）の少なくとも一部を覆うように、クリップ105が略Ｕ字状に湾曲され、かつ、クリップ105の長手方向一端側に設けられた係止部106，106をブラケット本体102に設けられた覆蓋部107，107の下側に潜り込ませるように係合させることにより、アーチワイヤスロット103の底部に向かってアーチワイヤ（図示せず）を圧下する。
この歯列矯正ブラケット100によれば、従来の歯列矯正ブラケットに比較して、不整歯列や捻転歯を矯正するためのアーチワイヤのローテーションコントロール，トルクコントロールが向上する。
【０００４】
また、このような歯列矯正ブラケット100によれば、リガッチャーワイヤ（図示せず）を採用した場合に生ずる結紮作業の煩雑化，リガッチャーワイヤの端部処理，審美性の低下等の問題や、あるいはエラストメリックリガッチャーリング（図示せず）を採用した場合に生ずる永久延びによるアーチワイヤの圧下力低下，吸水による着色・変色，審美性の低下等の問題、さらにはリガッチャーワイヤあるいはエラストメリックリガッチャーリングを採用した場合に共通して生ずる問題として食物残渣による衛生上の問題等を解消できるという優れた効果が得られる。
【０００５】
【発明が解決しようとする課題】
ところで、前述した従来例１は、図14（Ｂ）に示すように、クリップ105の係止部106をブラケット本体102における覆蓋部107の下側に潜り込ませて係合させるため、一定以上のローテーションコントロールを行おうとすると、アーチワイヤ108がクリップ105を押し上げ、これによりクリップ105の係止部106がブラケット本体102の覆蓋部107から外れる可能性がある。
この問題は、フルサイズに近い角ワイヤを用いた場合にも同様に生ずる可能性がある。
【０００６】
一方、図15（Ａ）に示す歯列矯正ブラケット200は、ベース201に支持されたブラケット本体202のアーチワイヤスロット203に対して交差する溝210が設けられているとともに、この溝210に嵌合するエラストマーや可撓性を有する樹脂製の嵌合部材220を有している（米国特許第6142775号：従来例２）。
【０００７】
この従来例２は、嵌合部材220の長手方向両端部にそれぞれ棒状の係合部221，222が設けられていて、係合部222をブラケット本体202の咬合側タイウイング部209，209に係合させた後、嵌合部材220を伸張させながら係合部221をブラケット本体の歯肉側タイウイング部208，208に係合させることにより嵌合部材がアーチワイヤスロットに対して圧下するようになっている。
【０００８】
また、この従来例２においては、図15（Ｂ）に示すように、嵌合部材の長手方向略中央部から一対のアーム223，223を突設させ、これらのアーム223，223をアーチワイヤスロット203に沿わせることにより、ローテーションコントロールを可能にすると記載されている。
【０００９】
しかしながら、この従来例２は、アーチワイヤスロット203に対して交差する溝210内にエラストマーや可撓性を有する樹脂製の嵌合部材220が圧下するため、結果的にエラストメリックリガッチャーリングにより結紮した場合と変わりがなく、十分な効果が得られない可能性がある。
さらに、この従来例２は、嵌合部材220から突設された一対のアーム223，223をアーチワイヤスロット203に沿わせた場合であっても、各アーム223，223の幅寸法がアーチワイヤ208の幅寸法に略等しく、かつ、エラストマーや可撓性を有する樹脂製であるため、効果的なローテーションコントロールが行えない虞れがある。
【００１０】
また、このような従来例２は、その形状や小ささから取り扱いし難く、ドクターにとって煩雑な作業となる。また、この従来例２は、食事や、その後のブラッシング等により嵌合部材220がブラケット本体202から外れる虞れもある。
その上、従来例２は、嵌合部材220がアーチワイヤ211を弾性的に圧下するため、治療初期に用いられる細いアーチワイヤに求められるフリクションフリーの状態が得られないという問題もある。
【００１１】
本発明は、前述した問題点に鑑みてなされたものであり、その目的は一定以上のローテーションコントロールを行っても、アーチワイヤスロットの底部に向かう積極的なアーチワイヤの圧下を確実に維持できる歯列矯正ブラケットを提供することにある。
【００１２】
【課題を解決するための手段】
本発明は、歯列を矯正するために、歯牙表面に固着可能な面状のベースと、前記ベースの片面に設けられたブラケット本体と、前記ブラケット本体に形成された溝状のアーチワイヤスロットと、前記ブラケット本体および前記ベースのうちの少なくとも一方に形成され、かつ、前記アーチワイヤスロットに対して交差する方向に沿って連続する案内部と、前記案内部に案内される略帯状のクリップとを有し、
前記アーチワイヤスロットにおける反ベース側の少なくとも一部を覆うように、前記クリップが略Ｕ字状に湾曲され、かつ、前記クリップの長手方向一端側に設けられた係止部が、前記ブラケット本体に支持された覆蓋部の下側に潜り込むように係合可能である歯列矯正ブラケットである。
【００１３】
ここで、案内部としては、ベースおよびアーチワイヤスロット間に形成された案内部や、あるいはベースの固着面に形成された溝等を例示できる。
案内部としてベースの固着面に溝を形成する場合、クリップを溝内に収容した後、溝を所定の蓋部材で閉鎖して連続した固着面を形成すればよい。
【００１４】
そして、前述した目的を達成するために、本発明は、請求項１に記載したように、前記係止部に設けられた係止爪部と、前記覆蓋部に設けられた覆蓋爪部とを有し、前記係止爪部および前記覆蓋爪部が互いに噛み合う位置に擦れ違うことにより、前記クリップの長手方向一端側が前記アーチワイヤスロットを閉塞可能であることを特徴としている。
【００１５】
ここで、係止爪部および覆蓋爪部としては、請求項２に記載したように、前記係止爪部および前記覆蓋爪部の係合状態に関わらず、単独で前記クリップの長手方向一端側が前記アーチワイヤスロットに対して圧下してもよい。従って、このような歯列矯正ブラケットにおいては、治療初期に用いられる細いアーチワイヤに求められるフリクションフリーの状態が得られるとともに、治療中期以降に用いられる比較的太いアーチワイヤに対して確実、かつ、積極的なアーチワイヤの圧下を維持できることになる。
【００１６】
また、係止爪部および覆蓋爪部としては、請求項３に記載したように、前記係止爪部および前記覆蓋爪部が相対的に係合可能な位置に配置されていれば、強いローテーションコントロールが生じると、クリップの長手方向一端側が持ち上げられて係合することになる。
従って、このような歯列矯正ブラケットにおいては、強いローテーションコントロールが生じると、係止爪部および覆蓋爪部が係合してクリップがブラケット本体から外れるのを防止できることになる。
【００１７】
さらに、係止爪部および覆蓋爪部としては、請求項４に記載したように、前記係止爪部および前記覆蓋爪部が互いに弾性的に乗り越えることにより、前記係止爪部および前記覆蓋爪部が互いに係合した状態を維持可能であれば、アーチワイヤの太さに関わらず係止爪部および覆蓋爪部の係合状態を確実に維持でき、これによりクリップがブラケット本体から外れるのを防止できることになる。
ここで、係止爪部および覆蓋爪部は、断面先細りの爪形状に形成しておくことにより、互いに斜面を弾性的に摺接させながら擦れ違うように乗り越えればよい。
【００１８】
そして、係止爪部および覆蓋爪部としては、請求項５に記載したように、前記係止爪部および前記覆蓋爪部が互いに弾性的に乗り越えることにより、前記係止爪部および前記覆蓋爪部が互いに係合した状態で、前記覆蓋爪部が当該覆蓋部の基部を支点として一定角度まで揺動可能であれば、係止爪部を介して覆蓋爪部が揺動変形するような強いローテーションコントロールが生じても、アーチワイヤーを保持する力の一部を覆蓋部の弾性力で受けるとともに、クリップと覆蓋部とが協働してアーチワイヤーを圧下することになる。
【００１９】
以上のような歯列矯正ブラケットにおいては、治療初期に用いられる細いアーチワイヤに求められるフリクションフリーの状態や、あるいは治療中期以降に用いられる比較的太いアーチワイヤに対する積極的なアーチワイヤの圧下、さらには叢生歯や捻転歯等の強いローテーションコントロールを必要とする場合であっても、状況に応じて従来のようにクリップの係止部がブラケット本体の覆蓋部から外れる可能性を回避できることになり、これらにより前述した目的を達成できる。
【００２０】
また、本発明においては、請求項６に記載したように、前記覆蓋部が前記ブラケット本体に一体成形されているとともに、前記クリップの長手方向他端側に位置決め部が設けられているため、アーチワイヤをアーチワイヤスロットの底部に対して圧下する力を、クリップの他に覆蓋部の変形荷重によっても負担することができる。
また、クリップの位置決め部によってクリップがスライドしてアーチワイヤスロットを開放した場合でも、クリップがブラケット本体から外れるのを防止できる。
【００２１】
一方、本発明においては、請求項７に記載したように、前記覆蓋部が前記クリップの長手方向他端側に一体成形されているため、可撓性を有する軟質材料によりクリップおよび覆蓋部を製造できるとともに、硬質材料によりブラケット本体を製造できることになる。
また、この歯列矯正ブラケットにおいては、あらかじめ仕様，寸法等が異なるブラケット本体およびクリップを複数種類用意しておき、これらを適宜組み合わせることによりバリエーションを容易に拡大できることになる。
【００２２】
次に、本発明においては、請求項８に記載したように、前記覆蓋爪部が前記係止爪部から離反するように、前記覆蓋部が当該覆蓋部の基部を支点として一定角度以上揺動することにより、前記係止部および前記覆蓋部の相互係合を解除可能であるため、クリップを歯軸方向にスライドさせてアーチワイヤスロットを開放し、アーチワイヤスロットからアーチワイヤを容易に取り外せることになる。
すなわち、この歯列矯正ブラケットにおいては、アーチワイヤを確実に保持できるとともにアーチワイヤを容易に交換できるため、交換作業を迅速に行え、これにより治療期間を通じて患者および術者の負担を軽減できることになる。
【００２３】
さらに、本発明においては、請求項９に記載したように、前記覆蓋部が揺動するような外力を受け入れるレバーが前記覆蓋部に設けられているため、このレバーに術者が手指爪あるいは器具の先端等を係止することにより係止部および覆蓋部の相互係合を確実、かつ、容易に解除できることになる。
【００２４】
その上、本発明においては、請求項10に記載したように、前記レバーに所定の器具を係止可能な凹部が設けられているため、術者が手指爪あるいは器具の先端等を係止することにより、係止部および覆蓋部の相互係合を一層確実、かつ、容易に解除できることになる。
【００２５】
次に、本発明は、請求項11に記載したように、請求項４あるいは請求項５において、前記係止爪部および前記覆蓋爪部のうちの少なくとも一方が他方に向かう斜面を備える断面先細り形状とされ、かつ、歯軸方向に対して平行な断面略鋸刃状に一段以上配列されていることを特徴としている。
ここで、係止爪部および覆蓋爪部としては、一方のみが断面略鋸刃状であってもよく、あるいは双方がそれぞれ断面略鋸刃状であってもよい。
【００２６】
このように構成された歯列矯正ブラケットにおいては、係止爪部および覆蓋爪部のうちの少なくとも一方が歯軸方向に対して平行な断面略鋸刃状であるため、係止爪部および覆蓋爪部が容易に互いに弾性的に乗り越えることができることになる。
そして、この歯列矯正ブラケットにおいては、例えば係止爪部および覆蓋爪部のうちの一方あるいは双方が複数配列されていれば、係止部および覆蓋部の相対位置を適宜選択することにより、アーチワイヤスロットに対するアーチワイヤの圧下力を調整できることになる。
【００２７】
また、本発明は、請求項12に記載したように、前記ベースおよび前記ブラケット本体が光透過性を有していることが好ましく、請求項13に記載したように、前記ベースおよび前記ブラケット本体がフィラー入り樹脂とされ、前記フィラーが前記ベースおよび前記ブラケット本体の耐久性を向上させるとともに、白色半透明の色調を引き出すことが好ましい。
【００２８】
さらに、本発明は、請求項14に記載したように、前記クリップが光透過性を有していることが好ましく、請求項15に記載したように、前記クリップが樹脂製であることが好ましく、請求項16に記載したように、前記クリップがフィラー入り樹脂とされ、前記フィラーが前記クリップの耐久性を向上させるとともに、白色半透明の色調を引き出すことが一層好ましい。
【００２９】
ここで、光透過性とは、ベース，ブラケット本体，クリップが無着色の樹脂製である場合や、あるいは例えばセラミックスやガラス等のように素材自身が半透明または透明である場合、あるいは所定の材質に顔料，染料を含有させて半透明に着色された樹脂，セラミックス，ガラスである場合等を含む。そして、ベース，ブラケット本体，クリップを着色する場合、歯牙色と類似した色相に着色することが好ましい。
これらのように構成された歯列矯正ブラケットにおいては、ベース，ブラケット本体，クリップが光透過性を有しているため、光透過性を有していない場合に比較して良好な審美性が得られることになる。
【００３０】
また、クリップとしては、略Ｕ字状に湾曲可能な可撓性を有するポリウレタン，ポリプロピレン，ポリエチレン，ＰＥＴ，ポリアミド，ポリカーボネート，ポリエーテルサルホン，ポリアリレート，ポリフェンレンサルファイド等を例示できる。
このような歯列矯正ブラケットにおいては、クリップが樹脂製であるため、金属製のクリップを採用した場合に比較して複雑な形状が容易に得られるとともに、素材自身が極めて広い範囲の弾性を有するためアーチワイヤスロットに対するアーチワイヤの圧下力が得られることになる。
【００３１】
また、これらのベース，ブラケット本体，クリップをフィラー入り樹脂により形成する場合、耐久性を向上させるとともに、白色半透明の色調を引き出すような、例えばガラス繊維やガラスビーズ等のフィラーを採用すればよい。
【００３２】
そして、本発明は、請求項17に記載したように、前記クリップの所定位置から幅方向に沿って突出する幅広部を有し、前記クリップおよび前記幅広部が前記アーチワイヤスロットの反ベース側全域から前記アーチワイヤスロットに対して圧下可能であることを特徴としている。
ここで、反ベース側全域とは、一般にラビアル側（唇側）を指すが、リンガルブラケットの場合、リンガル側（舌側）を指す。そして、幅広部としては、ブラケット本体における近遠心方向の幅と同じでもよく、またブラケット本体における近遠心方向の幅よりも突出していてもよい。
【００３３】
また、このような幅広部は、クリップと協働してアーチワイヤスロットに対して圧下してもよいが、アーチワイヤスロットに対するクリップの圧下の有無に関わらず、当該幅広部が単独でアーチワイヤスロットに対して圧下してもよい。
このような歯列矯正ブラケットにおいては、クリップから突出する幅広部がアーチワイヤスロットの反ベース側全域からアーチワイヤスロットに対して圧下可能であるため、アーチワイヤのローテーションコントロールを確実に行えることになる。
【００３４】
また、本発明においては、請求項18に記載したように、前記係止部および前記覆蓋部が相互係合した状態で前記クリップにおける所定位置に所定の器具を係止可能な引出孔が設けられているため、係止部および覆蓋部の相互係合を解除した後、引出孔に術者が器具の先端等を係止することにより、覆蓋部から係止部を容易に引き出せることになる。
【００３５】
さらに、本発明においては、請求項19に記載したように、前記クリップの少なくとも前記アーチワイヤスロットに対して圧下する個所における幅方向に沿った断面形状が略円弧状とされ、前記断面形状が平坦になるように前記クリップが弾性変形しながら前記アーチワイヤスロットに対して圧下するため、当該個所の断面形状が平坦になるようにクリップをアーチワイヤに圧接させれば、クリップの当該個所が初期形状に復元しようとする弾性反発力により、アーチワイヤスロットに対するアーチワイヤの圧下力が得られることになる。
【００３６】
【発明の実施の形態】
以下、本発明に係る実施形態を図面に基づいて詳細に説明する。なお、以下に示す各実施形態においては、歯列矯正ブラケットとしてツインブラケットを例示するが、本発明はシングルブラケットにも適用可能であり、本発明はツインブラケットに限定するものではない。
【００３７】
図１に示すように、本発明に係る第１実施形態の歯列矯正ブラケット10は、歯列を矯正するために、歯牙表面に固着可能な面状のベース11と、ベース11の片面に設けられたブラケット本体12と、ブラケット本体12に形成されて断面矩形状のアーチワイヤ13を収容可能な溝状のアーチワイヤスロット14と、ブラケット本体12におけるベース11およびアーチワイヤスロット14間に形成された案内部15と、案内部15に案内される略帯状のクリップ16と、ブラケット本体12の外側部に設けられた４つのタイウイング17とを含んで構成されたツインブラケットとされている。
【００３８】
ベース11は、歯牙表面に対応した凹状の球面を有し、歯牙表面に対して接着剤を介して固着される。
ブラケット本体12は、近遠心方向に沿って溝部12Ａが連続するブロック体とされ、溝部12Ａに断面略Ｕ字状のメタルライナ12Ｂをインサートすることによりアーチワイヤスロット14が形成されている。メタルライナ12Ｂは、アーチワイヤ13の断面形状，断面寸法に対応した内形状，内寸法を有している。
【００３９】
これらのようなベース11およびブラケット本体12は、接着可能な剛性を有する適宜な樹脂製，ガラス製あるいはセラミックス製とされ、光透過性を有している。
ここで、ベース11およびブラケット本体12がセラミックスである場合、素材自身が半透明である。また、ベース11およびブラケット本体12が樹脂，セラミックスである場合、所定の材質に顔料，染料を含有させることにより、歯牙に類似した色相を有するとともに、半透明に着色されている。
さらに、ベース11およびブラケット本体12が樹脂である場合、例えばガラス繊維やガラスビーズ等のフィラーが混入されたフィラー入り樹脂とされ、このフィラーがベース11およびブラケット本体12の耐久性を向上させるとともに、白色半透明の色調を引き出している。
【００４０】
案内部15は、アーチワイヤスロット14の連続方向に対して所定角度交差する貫通孔として形成されている。
クリップ16は、略Ｕ字状に湾曲可能な可撓性を有するとともに高弾性を有する例えばポリウレタン，ポリプロピレン，ポリエチレン，ＰＥＴ，ポリアミド，ポリカーボネート，ポリエーテルサルホン，ポリアリレート，ポリフェンレンサルファイド等の樹脂製とされ、厚み寸法が0.3mmないし0.8mmに設定されている。このクリップ16は、無着色あるいは顔料，染料を素材に含有させることにより歯牙に類似した色相に着色された半透明とされ、光透過性を有している。
さらに、クリップ16は、例えばガラス繊維やガラスビーズ等のフィラーが混入されたフィラー入り樹脂とされ、このフィラーがクリップ16の耐久性を向上させるとともに、白色半透明の色調を引き出している。
【００４１】
また、このクリップ16は、長手方向一端側16Ａ（図１中上側）における所定位置から端部に向かって拡開するように幅寸法が拡大し、当該クリップ16の幅方向両端部から突出する一対の幅広部16Ｂ，16Ｂが設けられている。
従って、クリップ16は、長手方向他端側16Ｃ（図１中下側）が案内部15に案内された状態で略Ｕ字状に湾曲された後、当該クリップ16が平行移動することにより、長手方向一端側16Ａに設けられた係止部18がブラケット本体12に支持された覆蓋部19の下側に潜り込むように係合すると、当該クリップ16および各幅広部16Ｂ，16Ｂによりアーチワイヤスロット14の反ベース側全域を被覆するようになっている。
なお、この歯列矯正ブラケット10におけるアーチワイヤスロット14は、ラビアル側（唇側）に向かって開口しているが、リンガルブラケットの場合、アーチワイヤスロット14がリンガル側（舌側）に向かって開口することになる。
【００４２】
このようなクリップ16は、長手方向他端側16Ｃ（図１中下側）が案内部15に挿通された後、適宜な熱加工により長手方向他端側16Ｃに形成された位置決め部16Ｄにより、案内部15から引き抜き不可能に位置決めされる。
【００４３】
そして、図２および図３にも示すように、この歯列矯正ブラケット10は、本発明に基づいて、係止部18に設けられた係止爪部20と、覆蓋部19に設けられた覆蓋爪部21とを有している。
係止爪部20は、クリップ16の長手方向一端部に向かう斜面を有する断面先細り形状とされ、その断面形状がクリップ16の長手方向一端側16Ａの縁部に沿って連続するように形成されている。
一方、覆蓋爪部21は、覆蓋部19に設けられた一対のスリット22，22（図１参照）間における端部に沿って一体的に設けられ、覆蓋部19からクリップ16に向かう断面先細り形状とされている。
【００４４】
これらのような係止部18および覆蓋部19は、係止部18が覆蓋部19の下側に潜り込む際、係止爪部20および覆蓋爪部21がそれぞれの斜面を弾性的に摺接させながら互いに乗り越えて擦れ違い、これに伴って覆蓋爪部21が係止爪部20から離反するように、覆蓋部19がその基部を支点として揺動変形した後、覆蓋部19が初期形状に復帰することにより、係止爪部20および覆蓋爪部21が互いに係合する。
係止部18および覆蓋部19は、係止爪部20および覆蓋爪部21が互いに係合した状態を維持する。
【００４５】
この際、図４（Ａ）に示すように、クリップ16における各幅広部16Ｂ，16Ｂが設けられた個所の幅方向に沿った断面形状が、アーチワイヤスロット14の底部に対する凹状の円弧形状であるため、図４（Ｂ）に示すように、当該個所の断面形状が平坦に近付くようにクリップ16を変形させながらアーチワイヤ13に当接させることにより、クリップ16の当該個所が初期形状に復元しようとする弾性反発力が生じ、これによりアーチワイヤスロット14の底部に向かってアーチワイヤ13を良好に圧下できる。
【００４６】
そして、この歯列矯正ブラケット10は、クリップ16の所定位置における断面形状が凹状の円弧形状であるため、図４（Ｃ）に示すように、アーチワイヤ13よりも大径のアーチワイヤ13Ａやフルサイズに近い角ワイヤ（図示せず）等を用いる場合であっても、該当個所におけるクリップ16の変形度が大きくなることにより対応可能である。
【００４７】
なお、クリップ16の所定位置における断面形状は、アーチワイヤスロット14の底部に対する凹状の円弧形状に限らず、図４（Ｄ）に示すように、アーチワイヤスロット14の底部に対する凸状の円弧部を一対有する形状であってもよい。
このようなクリップ16Ｅによれば、クリップ16の幅方向両端縁がアーチワイヤ13の周面に引っ掛かることにより、治療初期に用いられる細いアーチワイヤに求められるフリクションフリーの状態を阻害しないという効果が得られる。
【００４８】
以上のような歯列矯正ブラケット10において、アーチワイヤスロット14からアーチワイヤ13を取り出すにあたっては、覆蓋部19から離れる方向に沿って延びるレバー23を介して、覆蓋爪部21が係止爪部20から離反するように、術者が基部を支点として覆蓋部19を揺動変形させることにより、係止部18および覆蓋部19の相互係合を解除する。
【００４９】
この際、レバー23に設けられた凹部24に術者が所定の器具の先端を係止させることにより、容易に覆蓋部19が変形する。
その後、当該クリップ16を平行移動させることにより、アーチワイヤスロット14を開放してアーチワイヤ13を取り出す。
【００５０】
前述した歯列矯正ブラケット10によれば、係止部18の係止爪部20と、覆蓋部19の覆蓋爪部21とが互いに弾性的に乗り越えて擦れ違うことにより、クリップ16の長手方向一端側がアーチワイヤスロット14に対して圧下した状態を維持可能であるため、一定以上のローテーションコントロールを行っても、アーチワイヤスロット14の底部に向かう積極的なアーチワイヤ13の圧下を確実に維持できる。
【００５１】
特に、この歯列矯正ブラケット10によれば、係止爪部20および覆蓋爪部21が互いに係合した状態を維持可能であるため、叢生歯や捻転歯等の強いローテーションコントロールを必要とする場合に所望の効果が得られる。
強いローテーションコントロールの荷重が加われば尚更、係止爪部20と覆蓋爪部21とはより強く噛み合うことになり、クリップ16が強く押し上げられて外れることがない。
【００５２】
また、この歯列矯正ブラケット10によれば、覆蓋部19がブラケット本体12に一体成形されているとともに、クリップ16の長手方向他端側16Ｃに位置決め部16Ｄが設けられているため、クリップ16がスライドしてアーチワイヤスロット14を開放した場合でも、クリップ16がブラケット本体12から外れるのを防止できる。
【００５３】
次に、前述した歯列矯正ブラケット10によれば、覆蓋爪部21が係止爪部20から離反するように、覆蓋部19がその基部を支点として揺動することにより、係止部18および覆蓋部19の相互係合を解除可能であるため、アーチワイヤスロット14からアーチワイヤ13を容易に取り外せ、交換作業を迅速に行うことにより治療期間を通じて患者および術者の負担を軽減できる。
【００５４】
特に、覆蓋部19は、当該覆蓋部19が変形するような外力を受け入れるレバー23が設けられているため、このレバー23に術者が手指爪あるいは器具の先端等を係止することにより係止部18および覆蓋部19の相互係合を確実、かつ、容易に解除できる。
その上、レバー23に所定の器具を係止可能な凹部24が設けられているため、術者が指あるいは器具の先端等を係止することにより、係止部18および覆蓋部19の相互係合を一層確実、かつ、容易に解除できる。
【００５５】
また、前述した歯列矯正ブラケット10によれば、ベース11，ブラケット本体12，クリップ16が光透過性を有しているため、光透過性を有していない場合に比較して良好な審美性が得られる。
さらに、この歯列矯正ブラケット10によれば、クリップ16が樹脂製であるため、金属製のクリップを採用した場合に比較して複雑な形状が容易に得られるとともに、素材自身が大きい弾性を有するためアーチワイヤスロット14に対するアーチワイヤ13の圧下力が得られる。
【００５６】
その上、このような歯列矯正ブラケット10によれば、クリップ16の所定位置から幅方向に沿って突出する幅広部16Ｂ，16Ｂがアーチワイヤスロット14のラビアル側（唇側）全域を被覆可能であるため、アーチワイヤ13のローテーションコントロールを確実に行える。
特に、クリップ16は、アーチワイヤスロット14に対して圧下する個所における幅方向に沿った断面形状が略円弧状とされ、断面形状が平坦になるように弾性変形しながらアーチワイヤスロット14に対して圧下するため、クリップ16の幅より近遠心端にアーチワイヤ13の圧下力が得られる。
【００５７】
図５ないし図９には、本発明に係る第２実施形態の歯列矯正ブラケット50が示されている。なお、以下に説明する第２実施形態において、既に図１ないし図４において説明した部材等については、図中に同一符号あるいは相当符号を付すことにより説明を簡略化あるいは省略する。
【００５８】
図５および図６に示すように、歯列矯正ブラケット50の案内部55は、ベース51の固着面に形成された溝とされ、板状の蓋部材55Ａにより案内部55の固着面側を封鎖することによりアーチワイヤスロット54に対して交差する方向に沿って連続する貫通孔となる。
この歯列矯正ブラケット50は、クリップ56の長手方向一端側56Ａに設けられた係止部58に複数の係止爪部60が歯軸方向に対して平行な断面略鋸刃状に複数配列されているとともに、覆蓋部59がクリップ56の長手方向他端側56Ｃに位置決め部56Ｄおよび一対の壁部65，65を介して一体成形されている。
【００５９】
このような歯列矯正ブラケット50は、ベース51の固着面側からクリップ56を案内部55内に収容した後、案内部55の固着面側を蓋部材55Ａにより封鎖するとともに適宜な接着剤等を用いて固定し（図７および図８参照）、次いでクリップ56を略Ｕ字状に湾曲させ、係止部58を覆蓋部59の下側に潜り込むように係合させることにより、係止爪部60および覆蓋爪部61が互いに弾性的に乗り越えて擦れ違うことにより、係止部58および覆蓋部59を係合させる（図９参照）。
【００６０】
この際、係止部58に係止爪部60が歯軸方向に対して平行な断面略鋸刃状に複数配列されているため、覆蓋爪部61に対して各係止爪部60を選択的に係合させることにより、アーチワイヤ13の断面形状，断面寸法に関わらず、アーチワイヤスロット54の底部に向かってアーチワイヤ13を確実に圧下できる。
【００６１】
以上のような歯列矯正ブラケット50において、アーチワイヤスロット54からアーチワイヤ13を取り出すにあたっては、覆蓋部59から離れる方向に沿って延びるレバー63を介して、覆蓋爪部61が係止爪部60から離反するように術者が壁部65，65を揺動変形させることにより、係止部58および覆蓋部59の相互係合を解除する。
そして、クリップ56の所定位置に設けられた引出孔66に術者が所定の器具を係止させることにより、アーチワイヤスロット54のラビアル側（唇側）を開放してアーチワイヤ13を取り出す。
【００６２】
以上のような歯列矯正ブラケット50によれば、係止部58の係止爪部60と、覆蓋部59の覆蓋爪部61とが互いに弾性的に乗り越えて擦れ違うことにより、係止部58および覆蓋部59を係合するため、一定以上のローテーションコントロールを行っても、アーチワイヤスロット54の底部に向かう積極的なアーチワイヤ13の圧下を確実に維持できるという前述した第１実施形態と同様な効果が得られる。
【００６３】
一方、この歯列矯正ブラケット50によれば、覆蓋部59がクリップ56の長手方向他端側に一体成形されているため、可撓性を有する軟質材料によりクリップ56および覆蓋部59を製造できるとともに、硬質材料によりブラケット本体52を製造できる。
【００６４】
また、この歯列矯正ブラケット50によれば、覆蓋部59がクリップ56の長手方向他端側56Ｃに一体成形されているため、あらかじめ形状，寸法等が異なるブラケット本体52およびクリップ56を複数種類用意しておき、これらを適宜組み合わせることによりバリエーションを容易に拡大できる。
【００６５】
さらに、クリップ56は、係止爪部60が歯軸方向に対して平行な断面略鋸刃状に複数配列されているため、覆蓋部59に対する係止部58の相対位置を適宜選択することにより、アーチワイヤスロット54に対するアーチワイヤ13の圧下力を調整できる。
そして、クリップ56は、所定の器具を係止可能な引出孔66が設けられているため、係止部58および覆蓋部59の相互係合を解除した後、引出孔66に術者が器具の先端等を係止することにより、覆蓋部59から係止部58を容易に引き出せる。
【００６６】
図10ないし図12には、本発明に係る第３実施形態の歯列矯正ブラケット70が示されている。なお、以下に説明する第３実施形態において、既に図１ないし図９において説明した部材等については、図中に同一符号あるいは相当符号を付すことにより説明を簡略化あるいは省略する。
【００６７】
図10ないし図12に示す歯列矯正ブラケット70の案内部75は、ベース71の固着面に形成された溝とされ、板状の蓋部材75Ａにより案内部75の固着面側を封鎖することによりアーチワイヤスロット74に対して交差する方向に沿って連続する貫通孔となる。
この歯列矯正ブラケット70は、クリップ76の長手方向一端側76Ａに設けられた係止部78に係止爪部80が歯軸方向に対して平行な断面略鋸刃状に複数配列されているとともに、覆蓋爪部81が歯軸方向に対して平行な断面略鋸刃状に複数配列された覆蓋部79がクリップ76の長手方向他端側76Ｃに位置決め部76Ｄを介して一体成形されている。覆蓋部79は、略コ字状の壁部85が位置決め部76Ｄおよび各覆蓋爪部81に対して接触することなく包囲している。
【００６８】
このような歯列矯正ブラケット70は、ベース71の固着面側からクリップ76を案内部75内に収容した後、案内部75の固着面側を蓋部材75Ａにより封鎖するとともに適宜な接着剤等を用いて固定し（図12参照）、次いでクリップ76を略Ｕ字状に湾曲させ、係止部78を覆蓋部79の下側に潜り込むように係合させることにより、係止爪部80および覆蓋爪部81が互いに弾性的に乗り越えて擦れ違うことにより、係止部78および覆蓋部79を係合させる。
以上のような歯列矯正ブラケット70によれば、基本的に前述した第２実施形態と同様に構成されているため、前述した第２実施形態と同様な効果が得られる。
【００６９】
なお、本発明は、前述した各実施形態に限定されるものでなく、適宜な変形，改良等が可能であり、
例えば、前述した第１実施形態における歯列矯正ブラケット10は、図13（Ａ）に示すような治療初期に用いられる細いアーチワイヤ13Ｂをアーチワイヤスロット14に収容した状態でも係止部18に設けられた係止爪部20と、覆蓋部19に設けられた覆蓋爪部21とが係合した状態を維持し、図13（Ｂ）に示すようなフルサイズの角アーチワイヤ13Ｃをアーチワイヤスロット14に収容した状態では、覆蓋部19が基部を支点として揺動変形して係止爪部20および覆蓋爪部21の係合状態を維持する。
【００７０】
これに対して図13（Ｃ）に示す歯列矯正ブラケット10Ａは、アーチワイヤ13Ｂをアーチワイヤスロット14に収容した状態では、係止爪部20および覆蓋爪部21が係合せず、クリップ16の弾性力のみによりアーチワイヤ13Ｂをアーチワイヤスロット14に圧下する。
そして、この歯列矯正ブラケット10Ａは、図13（Ｄ）に示すように、アーチワイヤスロット14にフルサイズの角アーチワイヤ13Ｃを収容した場合、この角アーチワイヤ13Ｃに押し上げられて係止爪部20および覆蓋爪部21が係合する。
【００７１】
このような歯列矯正ブラケット10Ａによれば、治療初期に用いられる細いアーチワイヤに求められるフリクションフリーの状態が得られるとともに、治療中期以降に用いられる比較的太いアーチワイヤや角アーチワイヤ13Ｃに対して確実、かつ、積極的なアーチワイヤの圧下を確実に維持できる。
さらに、係止爪部20が覆蓋爪部21に対して押し上げられて深く噛み合えば噛むほど、両者は外れ難くなり、プラスチック製のクリップ16が変形して外れることがない。
本発明は、このような歯列矯正ブラケット10Ａをも含むものである。
【００７２】
その他、前述した各実施形態において例示したベース，ブラケット本体，アーチワイヤスロット，アーチワイヤ，案内部，クリップ，係止部，覆蓋部，係止爪部，覆蓋爪部，位置決め部，レバー，凹部，幅広部，引出孔等の材質，色相，仕様，形状，寸法，形態，数，配置個所等は本発明を達成できるものであれば任意であり、限定されない。
【００７３】
【発明の効果】
以上、説明したように、本発明によれば、請求項１に記載したように、アーチワイヤスロットにおける反ベース側の少なくとも一部を覆うように、クリップが略Ｕ字状に湾曲され、かつ、クリップの長手方向一端側に設けられた係止部が、ブラケット本体に支持された覆蓋部の下側に潜り込むように係合可能な歯列矯正ブラケットであり、係止部に設けられた係止爪部と、覆蓋部に設けられた覆蓋爪部とを有し、係止爪部および覆蓋爪部が互いに噛み合う位置に擦れ違うことにより、クリップの長手方向一端側が前記アーチワイヤスロットを閉塞可能であるため、治療初期に用いられる細いアーチワイヤに求められるフリクションフリーの状態や、あるいは治療中期以降に用いられる比較的太いアーチワイヤに対する積極的なアーチワイヤの圧下、さらには叢生歯や捻転歯等の強いローテーションコントロールを必要とする場合であっても、状況に応じて従来のようにクリップの係止部がブラケット本体の覆蓋部から外れる可能性を回避できる。
【００７４】
そして、本発明によれば、請求項２に記載したように、係止爪部および覆蓋爪部の係合状態に関わらず、単独でクリップの長手方向一端側が前記アーチワイヤスロットに対して圧下すれば、治療初期に用いられる細いアーチワイヤに求められるフリクションフリーの状態が得られるとともに、治療中期以降に用いられる比較的太いアーチワイヤに対して確実、かつ、積極的なアーチワイヤの圧下を維持できる。
【００７５】
また、本発明によれば、請求項３に記載したように、係止爪部および覆蓋爪部が相対的に係合可能な位置に配置されていれば、強いローテーションコントロールが生じると、クリップの長手方向一端側が持ち上げられて係合し、これにより強いローテーションコントロールが生じてもクリップがブラケット本体から外れるのを防止できる。
【００７６】
さらに、本発明によれば、請求項４に記載したように、係止爪部および覆蓋爪部が互いに弾性的に乗り越えることにより、係止爪部および覆蓋爪部が互いに係合した状態を維持可能であれば、アーチワイヤの太さに関わらず係止爪部および覆蓋爪部の係合状態を確実に維持でき、これによりクリップがブラケット本体から外れるのを防止できる。
【００７７】
また、本発明によれば、請求項５に記載したように、係止爪部および覆蓋爪部が互いに弾性的に乗り越えることにより、係止爪部および覆蓋爪部が互いに係合した状態で、覆蓋爪部が当該覆蓋部の基部を支点として一定角度まで揺動可能であれば、係止爪部を介して覆蓋爪部が揺動変形するような強いローテーションコントロールが生じても、アーチワイヤーを保持する力の一部を覆蓋部の弾性力で受けるとともに、クリップと覆蓋部とが協働してアーチワイヤーを圧下できる。
【００７８】
次に、本発明によれば、請求項６に記載したように、覆蓋部がブラケット本体に一体成形されているとともに、クリップの長手方向他端側に位置決め部が設けられているため、アーチワイヤをアーチワイヤスロットの底部に対して圧下する力を、クリップの他に覆蓋部の変形荷重によっても負担できるとともに、クリップの位置決め部によってクリップがスライドしてアーチワイヤスロットを開放した場合でも、クリップがブラケット本体から外れるのを防止できる。
【００７９】
一方、本発明によれば、請求項７に記載したように、覆蓋部がクリップの長手方向他端側に一体成形されているため、可撓性を有する軟質材料によりクリップおよび覆蓋部を製造できるとともに、硬質材料によりブラケット本体を製造できる。
【００８０】
次に、本発明によれば、請求項８に記載したように、覆蓋爪部が係止爪部から離反するように、覆蓋部が当該覆蓋部の基部を支点として一定角度以上揺動することにより、係止部および覆蓋部の相互係合を解除可能であるため、クリップを歯軸方向にスライドさせてアーチワイヤスロットを開放し、アーチワイヤスロットからアーチワイヤを容易に取り外せ、また装着でき、これにより治療期間を通じて患者および術者の負担を軽減できる。
【００８１】
さらに、本発明によれば、請求項９に記載したように、覆蓋部が揺動するような外力を受け入れるレバーが覆蓋部に設けられているため、このレバーに術者が手指爪あるいは器具の先端等を係止することにより係止部および覆蓋部の相互係合を確実、かつ、容易に解除できる。
【００８２】
その上、本発明によれば、請求項10に記載したように、レバーに所定の器具を係止可能な凹部が設けられているため、術者が手指爪あるいは器具の先端等を係止することにより、係止部および覆蓋部の相互係合を一層確実、かつ、容易に解除できる。
【００８３】
次に、本発明によれば、請求項11に記載したように、請求項４あるいは請求項５において、係止爪部および覆蓋爪部のうちの少なくとも一方が他方に向かう斜面を備える断面先細り形状とされ、かつ、歯軸方向に対して平行な断面略鋸刃状に一段以上配列されているため、係止爪部および覆蓋爪部が容易に互いに弾性的に乗り越えることができるとともに、係止部および覆蓋部の相対位置を適宜選択することにより、アーチワイヤスロットに対するアーチワイヤの圧下力を調整できる。
【００８４】
また、本発明によれば、請求項12に記載したように、ベースおよびブラケット本体が光透過性を有していることが好ましく、請求項13に記載したように、ベースおよびブラケット本体がフィラー入り樹脂とされ、フィラーがベースおよびブラケット本体の耐久性を向上させるとともに、白色半透明の色調を引き出すことが好ましい。
【００８５】
さらに、本発明によれば、請求項14に記載したように、クリップが光透過性を有していることが好ましく、請求項15に記載したように、クリップが樹脂製であることが好ましく、請求項16に記載したように、クリップがフィラー入り樹脂とされ、フィラーがクリップの耐久性を向上させるとともに、白色半透明の色調を引き出すことが一層好ましい。
【００８６】
そして、本発明によれば、請求項17に記載したように、クリップの所定位置から幅方向に沿って突出する幅広部を有し、クリップおよび幅広部がアーチワイヤスロットの反ベース側全域からアーチワイヤスロットに対して圧下可能であるため、アーチワイヤのローテーションコントロールを確実に行える。
【００８７】
また、本発明によれば、請求項18に記載したように、係止部および覆蓋部が相互係合した状態でクリップにおける所定位置に所定の器具を係止可能な引出孔が設けられているため、係止部および覆蓋部の相互係合を解除した後、引出孔に術者が器具の先端等を係止することにより、覆蓋部から係止部を容易に引き出せる。
【００８８】
さらに、本発明によれば、請求項19に記載したように、クリップの少なくともアーチワイヤスロットに対して圧下する個所における幅方向に沿った断面形状が略円弧状とされ、断面形状が平坦になるようにクリップが弾性変形しながらアーチワイヤスロットに対して圧下するため、当該個所の断面形状が平坦になるようにクリップをアーチワイヤに圧接させれば、クリップの当該個所が初期形状に復元しようとする弾性反発力により、アーチワイヤスロットに対するアーチワイヤの圧下力が得られる。
【図面の簡単な説明】
【図１】本発明に係る第１実施形態を示す全体斜視図である。
【図２】第１実施形態の歯列矯正ブラケットを示す断面図および平面図である。
【図３】第１実施形態の歯列矯正ブラケットを示す断面図および平面図である。
【図４】スロットを示す断面図である。
【図５】本発明に係る第２実施形態を示す全体斜視図である。
【図６】第２実施形態の歯列矯正ブラケットを示す断面図である。
【図７】本発明に係る第２実施形態を示す全体斜視図である。
【図８】第２実施形態の歯列矯正ブラケットを示す断面図である。
【図９】第２実施形態の歯列矯正ブラケットを示す断面図である。
【図１０】本発明に係る第３実施形態を示す全体斜視図である。
【図１１】第３実施形態の歯列矯正ブラケットを示す断面図である。
【図１２】第３実施形態の歯列矯正ブラケットを示す断面図である。
【図１３】本発明の変形例を示す要部断面図である。
【図１４】従来例を示す全体斜視図および要部断面図である。
【図１５】従来例を示す全体斜視図および部分斜視図である。
【符号の説明】
10，10Ａ，50，70  歯列矯正ブラケット
11，51，71  ベース
12，52，72  ブラケット本体
14，54，74  アーチワイヤスロット
15，55，75  案内部
16，56，76  クリップ
16Ｂ，56Ｂ，76Ｂ  幅広部
16Ｄ，56Ｄ，76Ｄ  位置決め部
18，58，78  係止部
19，59，79  覆蓋部
20，60，80  係止爪部
21，61，81  覆蓋爪部
23，64，83  レバー
24，84  凹部
66，86  引出孔
【図１】
0004659991.tif 000002
【図２】
0004659991.tif 000003
【図３】
0004659991.tif 000004
【図４】
0004659991.tif 000005
【図５】
0004659991.tif 000006
【図６】
0004659991.tif 000007
【図７】
0004659991.tif 000008
【図８】
0004659991.tif 000009
【図９】
0004659991.tif 000010
【図１０】
0004659991.tif 000011
【図１１】
0004659991.tif 000012
【図１２】
0004659991.tif 000013
【図１３】
0004659991.tif 000014
【図１４】
0004659991.tif 000015
【図１５】
0004659991.tif 000016